(57)【要約】【課題】フォーカスおよびトラッキング方向にシフトした際の感度変化の小さい光ディスク用アクチュエータのプリントコイル基板を提供する。【解決手段】  積層時に相対応する位置で重なり合うコイルパターンは略同一形状であるが、積層時には隣接するそれぞれの基板層２１ａ，２１ｂのトラッキングコイル２２ａとフォーカスコイル２２ｂ，２２ｂの形状上の中心位置は一致しておらず、このずれは、各コイルによって可動部１２を駆動せしめる方向に向かって所定距離だけずれるように設定してある。１層目のコイルパターンが磁石１３ａの磁束密度の薄い部位に外れる方向に移動したとしても、それと同時に２層目のコイルパターンが磁石１３ａの磁束密度が濃い部分に入ってくることになるので、相対的に感度変化を補うことができる。【選択図】図４
2015088206.tif 000002
【特許請求の範囲】
【請求項１】
光ディスク用アクチュエータの可動部を固定部に対して相対的に駆動させるための光ディスク用アクチュエータのプリントコイル基板であって、
前記プリントコイル基板は、複数の基板層を積層して構成されており、各基板層における複数の所定位置にそれぞれコイルパターンが形成されるとともに、相対応する位置に積層される各基板層上の略同一形状のコイルパターンを結線して各位置毎にコイルを形成しており、
各コイルを形成する各基板層上のコイルパターンの形状上の中心位置と隣接する基板層のコイルパターンの形状上の中心位置とを一致させず、各コイルによって前記可動部を駆動せしめる方向に向かって所定距離だけずれていることを特徴とするプリントコイル基板。
【請求項２】
前記複数の基板層が、ｎ（ｎ＞２の整数）層以上の場合に、ｎ番目の基板層と（ｎ＋２）番目の基板層では、前記コイルパターンをずらす方向を一致させていることを特徴とする請求項１に記載のプリントコイル基板。
【請求項３】
前記コイルに対応して配置される磁石に近い側のコイルパターンの最内周から最外周までの幅よりも前記磁石から遠い側のコイルパターンの最内周から最外周までの幅を広く形成したことを特徴とする請求項１または請求項２に記載のプリントコイル基板。
【請求項４】
前記複数のコイルが前記可動部を駆動させる方向ごとに、前記可動部の駆動距離が長い方向のずらす距離が、同駆動距離が短い方向のずらす距離よりも、長いことを特徴とする請求項１または請求項２に記載のプリントコイル基板。
【請求項５】
前記コイルパターンは、前記可動部をＺ軸方向に駆動させるフォーカスコイルと、前記可動部をＸＹ平面内で駆動させるトラッキングコイルとを備えており、前記フォーカスコイルのコイルパターンの方が前記トラッキングコイルのコイルパターンよりも長い距離だけずらして形成されていることを特徴とする請求項１〜請求項４のいずれかに記載のプリントコイル基板。
【請求項６】
前記所定距離はほぼコイル幅に一致していることを特徴とする請求項１〜請求項５のいずれかに記載のプリントコイル基板。
【請求項７】
各コイルパターンのコイル幅は全周における所定方向において幅広にしてあり、前記幅広の部位は前記中心位置を基準として前記ずらした方向に形成されていることを特徴とする請求項１〜請求項６のいずれかに記載のプリントコイル基板。
【請求項８】
各コイルパターンは、概略矩形形状に形成されており、３辺のコイル幅は略同一であり、１辺のコイル幅を前記幅広の部位としてあることを特徴とする請求項７に記載のプリントコイル基板。
【請求項９】
各基板層は、磁石に近い側よりも遠ざかるにつれて、前記中心位置からずらす距離が長くなっていることを特徴とする請求項１〜請求項８のいずれかに記載のプリントコイル基板。
【請求項１０】
対物レンズを備える可動部を、固定部に対して相対的に移動可能に保持するとともに、同可動部を同固定部に対して相対的に駆動する光ディスク用アクチュエータを備えた、光ディスク用ピックアップであって、
前記光ディスク用アクチュエータは、前記可動部を駆動させるためのプリントコイル基板を備え、
前記プリントコイル基板は、複数の基板層を積層して構成されており、各基板層における複数の所定位置にそれぞれコイルパターンが形成されるとともに、相対応する位置に積層される各基板層上の略同一形状のコイルパターンを結線して各位置毎にコイルを形成しており、
各コイルを形成する各基板層上のコイルパターンの形状上の中心位置と隣接する基板層のコイルパターンの形状上の中心位置とを一致させず、各コイルによって前記可動部を駆動せしめる方向に向かって所定距離だけずれていることを特徴とする光ディスク用ピックアップ。
【請求項１１】
対物レンズを備える可動部を、固定部に対して相対的に移動可能に保持するとともに、同可動部を同固定部に対して相対的に駆動する光ディスク用アクチュエータを備え、光ディスクを回転動作可能であるとともに前記固定部を同光ディスクの径方向に直線駆動可能な光ディスクドライブ装置であって、
前記光ディスク用アクチュエータは、前記可動部を駆動させるためのプリントコイル基板を備え、
前記プリントコイル基板は、複数の基板層を積層して構成されており、各基板層における複数の所定位置にそれぞれコイルパターンが形成されるとともに、相対応する位置に積層される各基板層上の略同一形状のコイルパターンを結線して各位置毎にコイルを形成しており、
各コイルを形成する各基板層上のコイルパターンの形状上の中心位置と隣接する基板層のコイルパターンの形状上の中心位置とを一致させず、各コイルによって前記可動部を駆動せしめる方向に向かって所定距離だけずれていることを特徴とする光ディスクドライブ装置。
【発明の詳細な説明】
【技術分野】
【０００１】
本発明は、光ディスク用アクチュエータのプリントコイル基板、光ディスク用ピックアップ、光ディスクドライブ装置に関する。
【背景技術】
【０００２】
光ディスクドライブ装置には、光ディスク用ピックアップが備えられ、同光ディスク用ピックアップには、光ディスク用アクチュエータが備えられている。
光ディスク用アクチュエータは、対物レンズを備えた可動部を、固定部に対して相対的に駆動させるため、可動部と固定部の一方には磁石を配置しつつ他方には電磁コイルを配置してあり、同電磁コイルに電流を流した時に生じる磁束により、前記磁石に吸引または反発することで、可動部を固定部に対して相対的に駆動させる。なお、固定部自体も光ディスクの径方向に直線駆動され、光ディスクを回転駆動させながら固定部が径方向に直線駆動されることで、同光ディスクの面上を走査可能となっている。
【０００３】
電磁コイルは、電線コイルで構成されるものと、フレキシブル基板にコイルパターンを形成したプリントコイル基板を使用するものがある。
光ディスク用アクチュエータでは、マグネット（永久磁石）からの磁力が最も得られる設計上の中立位置に可動部が保持されている。可動部が中立位置からフォーカスもしくはトラッキング方向にシフト（移動）した時、駆動力を発生させるコイルの有効部位もシフトするため、感度が低下し、再生記録性能に悪影響を与える。なお、感度とは、マグネットの磁束の中で可動部のコイルに通電した時に生じる吸引力や反発力に基づいて適正位置へ移動させる際の精度を総じて称するものとする。
【０００４】
特に、プリントコイルで構成されたアクチュエータにおいてはフレキシブル基板内にコイルパターン以外にワイヤや中継基板との配線や、他層へのスルーホールを設ける必要がある。このため、従来の電線コイルで構成されるアクチュエータよりも、シフトによる感度低下を押さえるためにコイル有効部をマグネットに対向する面上に広く設けることが難しい。また、電線コイルと同様の性能を得ようとすれば、プリントコイル自体が大型化し、アクチュエータのサイズ、ひいてはこれを搭載する光ピックアップ自体が大型になってしまう。さらに、プリントコイル自体のサイズは、基材から取れる数量に依存するため、プリントコイル自体のサイズが大型化すれば基材の取り数が低下し、コストアップにもつながる。
【０００５】
ところで、プリントコイル基板として、特許文献１〜５に示すものが知られている。
特許文献１に示すものは、２層構成のプリントコイル基板の１層目と２層目の各層において、ランド部を設けた最外層（１層目）のコイルパターンと、隣接層（２層目）のコイルパターンの大きさを変え、ランド部を持つ層のコイルパターンは、同層内でランド部と重複しないように（上下方向）幅を小さくしている。
【０００６】
特許文献２に示すものは、複数のプリントコイル基板における磁石に近い層に形成されるコイルパターンのパターン幅を、磁石に遠い層に形成されるコイルパターンのパターン幅よりも狭くしている。
特許文献３に示すものは、フォーカシングコイル及びトラッキングコイルを回路パターンとして形成したプリント基板を複数枚重ね合せ、かつ、フォーカシングコイルとトラッキングコイルとがプリント基板の厚さ方向において重ならないように構成してある。
【０００７】
特許文献４に示すものは、各コイル要素がプリント基板に形成した回路パターンにより構成され、各層における回路パターンの形状を異ならせることによりマグネットにより近い側の層のコイル要素ほど駆動力の発生に寄与する有効導体部分の長さが短くなるようにしている。
特許文献５に示すものは、プリントコイル基板に形成するコイルパターンを、各層で変えている。すなわち、形状の異なるコイルパターンを用いており、その上で相対位置関係を違えるようにしている。
【先行技術文献】
【特許文献】
【０００８】
【特許文献１】特開２００５−１６６２１９
【特許文献２】特開２００７−０８０３０５
【特許文献３】特開平０７−０９３７７８
【特許文献４】特開平０７−２１０８８４
【特許文献５】特開２００６−０４０４１５
【発明の概要】
【発明が解決しようとする課題】
【０００９】
従来のプリントコイル基板を利用する場合、以下のような課題があった。
特許文献１に示すものは、ランド部の影響を少なくすることはできるが、フォーカスおよびトラッキング方向にシフトした際の感度変化が大きかった。
特許文献２と特許文献４に示すものは、複数のプリントコイル基板における磁石からの遠近に基づく差異を解消することはできるが、前記感度変化は大きかった。
【００１０】
特許文献３に示すものは、前記感度変化は大きかった。
特許文献５に示すものは、プリントコイル基板に形成するコイルパターンが各層で異なるので、設計が容易でなかった。
本発明は、フォーカスおよびトラッキング方向にシフトした際の感度変化の小さい光ディスク用アクチュエータのプリントコイル基板、光ディスク用ピックアップ、光ディスクドライブ装置を提供する。
【課題を解決するための手段】
【００１１】
本発明の態様の一つは、光ディスク用アクチュエータの可動部を固定部に対して相対的に駆動させるための光ディスク用アクチュエータのプリントコイル基板であって、前記プリントコイル基板は、複数の基板層を積層して構成されており、各基板層における複数の所定位置にそれぞれコイルパターンが形成されるとともに、相対応する位置に積層される各基板層上の略同一形状のコイルパターンを結線して各位置毎にコイルを形成しており、各コイルを形成する各基板層上のコイルパターンの形状上の中心位置と隣接する基板層のコイルパターンの形状上の中心位置とを一致させず、各コイルによって前記可動部を駆動せしめる方向に向かって所定距離だけずれている構成としてある。
【００１２】
このような構成において、各基板層における複数の所定位置にそれぞれコイルパターンが形成されており、各基板層を積層しつつ、相対応する位置に形成されている略同一形状のコイルパターン同士を結線すると、複数の各位置毎にコイルが形成される。
従来は、各コイルを形成する各基板層上のコイルパターンの形状上の中心位置を、対応する磁石の中心位置とを一致させている。しかし、本態様の構成では、各コイルを形成する各基板層上のコイルパターンの形状上の中心位置と隣接する基板層のコイルパターンの形状上の中心位置とを一致させず、各コイルによって前記可動部を駆動せしめる方向に向かって所定距離だけずれている。一例として、一層目のコイルパターンと二層目のコイルパターンとが、前記磁石の中心位置から反対方向にそれぞれ離れている場合、二枚の基板層で形成されるコイルで発生される磁束の幅がいわゆるシフト方向に沿って広くなる。
コイルの側の磁束が広がる結果、固定部の磁石に対する可動部のコイルの感度の変化はより平坦に近くなる。
【００１３】
そして、このような構成の光ディスク用アクチュエータを備えた、光ディスク用ピックアップや光ディスクドライブ装置においても、同様の作用および効果を奏する。
【図面の簡単な説明】
【００１４】
【図１】光ディスクドライブ装置の概略ブロック図である。
【図２】光ディスク用ピックアップの斜視図である。
【図３】可動部の斜視図である。
【図４】プリントコイル基板の積層状況を示す模式図である。
【図５】コイルパターンの重なり状況を示す模式図である。
【図６】磁石の磁束とコイルパターンの位置を示す模式図である。
【図７】フォーカスコイルの対策前後の感度変化量を示す図である。
【図８】トラッキングコイルの対策前後の感度変化量を示す図である。
【図９】基板層が４層の場合のコイルパターンの重なり状況を示す模式図である。
【図１０】基板層が４層の場合のコイルパターンの重なり状況の変形例を示す模式図である。
【図１１】コイルパターンの変形例を示す図である。
【図１２】コイルパターンを拡大して示す図である。
【図１３】ずらす距離の変形例を示す図である。
【図１４】ずらす距離を示す図である。
【図１５】コイル幅の変形例を示す図である。
【発明を実施するための形態】
【００１５】
（第１の実施例）
以下、図面を参照しながら本発明の実施形態を説明する。
図１は光ディスクドライブ装置の概略ブロック図、図２は固定部を含む光ディスク用ピックアップの斜視図、図３は可動部の斜視図である。
光ディスクドライブ装置１０には、光ディスク用ピックアップ１１が備えられ、同光ディスク用ピックアップ１１には、後述する光ディスク用アクチュエータが備えられている。
【００１６】
図１に示すように、光ディスク用アクチュエータは、対物レンズ１２ｂを備えた可動部１２を、固定部１３に対して相対的に駆動させるため、可動部１２と固定部１３の一方には磁石１３ａを配置しつつ他方には電磁コイル１２ａを配置してあり、同電磁コイル１２ａに電流を流した時に生じる磁束により、前記磁石１３ａに吸引または反発することで、可動部１２を固定部１３に対して相対的に駆動させる。なお、固定部１３自体もステッピングモーター１４ａによって図示しない光ディスクの径方向に直線駆動され、光ディスクをＤＣモーター１４ｂによって回転駆動（回転動作が可能）させながら固定部１３が径方向に直線駆動（直線駆動が可能）されることで、同光ディスクの面上を走査可能となっている。そして、ステッピングモーター１４ａとＤＣモーター１４ｂの駆動を制御しつつ、光ディスク用ピックアップ１１での記録や再生を制御するために制御部１５が備えられている。
【００１７】
図２に示すように、光ディスク用ピックアップ１１は、可動部１２と、固定部１３とを備えており、可動部１２は固定部１３に対して左右に３本ずつのワイヤ１２ｃによってフローティング支持されている。これにより、可動部１２は少なくとも光ディスクの盤面に対して近接および離反する方向であるフォーカス方向（Ｚ軸方向）と、光ディスクの径方向であるトラッキング方向（Ｘ軸方向）とに微少移動可能である。なお、この微少移動をシフトと呼ぶ。
【００１８】
このように、コイルパターンは、可動部１２をＺ軸方向に駆動させるフォーカスコイル２２ｂと、可動部１２をＸＹ平面内（Ｘ軸方向）で駆動させるトラッキングコイル２２ａとを備えている。
可動部１２に、第１の対物レンズ１２ｂ１と第２の対物レンズ１２ｂ２とからなる対物レンズ１２ｂが固定されており、それぞれブルーレイディスク用とその他の光ディスク用とに対応している。なお、対物レンズ１２ｂはレンズホルダ１８によって保持され、レンズホルダ１８には第１の対物レンズ１２ｂ１と第２の対物レンズ１２ｂ２との間に立設されて光ディスクの盤面にこれらが突き当たらないようにするためのレンズプロテクタ１８ａが備えれられている。
【００１９】
ワイヤ１２ｃは電磁コイル１２ａに対する通電の役目も兼用しており、ワイヤ１２ｃと電磁コイル１２ａとを電気的に接続しつつ可動部１２自体を支持するための中継基板１９が可動部１２における径方向の内側と外側に配置されている。なお、磁石１３ａはいわゆる二極マグネットであり、ヨークベース１３ｂによって支持されている。
【００２０】
図４は、プリントコイル基板の積層状況を示す模式図である。
電磁コイル１２ａは、プリントコイル基板２０によって構成されている。プリントコイル基板２０は、フレキシブル基板で形成された複数枚の基板層２１を積層して構成される。それぞれの基板層２１は、所定位置に配置された渦巻き状のコイルパターン２２の両側を絶縁板で挟んで形成されている。複数枚の基板層２１を、１層目の基板層２１ａと２層目の基板層２１ｂと称すると、それぞれのコイルパターン２２の形状は略一致している。ただし、二つの基板層２１ａ，２１ｂを積層しつつ、コイルパターン２２，２２を電気的に結線してコイルを構成するためのスルーホールの位置は異なっている。
【００２１】
コイルパターン２２は、さらに、中央のトラッキングコイル２２ａと、同トラッキングコイル２２ａを挟んで両側に位置するフォーカスコイル２２ｂ，２２ｂとから構成されている。
ここで、積層時に相対応する位置で重なり合うコイルパターンは略同一形状であるが、積層時には隣接するそれぞれの基板層２１ａ，２１ｂのトラッキングコイル２２ａとフォーカスコイル２２ｂ，２２ｂの形状上の中心位置は一致していない。そして、このずれは、各コイルによって可動部１２を駆動せしめる方向に向かって所定距離だけずれるように設定してある。図４に示す例では、１層目の基板層２１ａと２層目の基板層２１ｂとでは、トラッキングコイル２２ａについては幅方向にコイル幅分だけ中心がずれており、フォーカスコイル２２ｂについては上下方向にコイル幅分だけずれている。幅方向はトラッキング方向であり、トラッキングコイル２２ａによって可動部１２を駆動する方向である。また、上下方向はフォーカス方向であり、フォーカスコイル２２ｂによって可動部１２を駆動する方向である。
【００２２】
すなわち、１層目の基板層２１ａにおけるフォーカスコイル２２ｂの外形中心を対向する磁石１３ａの磁力の強い位置から、例えば上下方向にオフセットさせて配置した場合、２層目の基板層２１ｂではフォーカスコイル２２ｂの外形中心を逆に下方向へオフセットして配置する。１層目および２層目のオフセット量は層毎の磁束密度分布と必要なシフト範囲で感度の変化が最も少なくなるように設計的に決定される。こうすることでフォーカスシフトした際の感度変化を抑えることが可能となる。トラッキングコイルに関してもシフト方向が左右に変わるだけで同様の考え方で配置すればよい。
【００２３】
なお、コイルパターンの最内周から最外周までの幅をコイル幅と呼ぶと、この例では、ずらしている所定距離は、ほぼコイル幅に一致させている。コイル幅は、トラッキングコイル２２ａにおいて０．１ｍｍであり、フォーカスコイル２２ｂにおいて０．５ｍｍである。従って、フォーカスコイル２２ｂのコイルパターンの方がトラッキングコイル２２ａのコイルパターンよりも長い距離だけずらして形成されていることになる。
【００２４】
また、フォーカスコイル２２ｂで可動部１２を駆動させる距離は、トラッキングコイル２２ａで可動部１２を駆動させる距離よりも長い。従って、複数のコイルが可動部１２を駆動させる方向ごとに、可動部１２の駆動距離が長い方向のずらす距離が、同駆動距離が短い方向のずらす距離よりも、長くなっているといえる。
【００２５】
図５は、コイルパターンの重なり状況を示す模式図である。
同図は、１層目の基板層２１ａと２層目の基板層２１ｂにおける二つのフォーカスコイル２２ｂが相対的に上下にずれて積層される状況を示している。同図はフォーカスコイル２２ｂについて示しているが、トラッキングコイル２２ａについても同様に幅方向にずれて積層されることになる。
【００２６】
図６は、磁石の磁束とコイルパターンの位置を示す模式図である。なお、磁石１３ａについては、概略として示している。
厳密には、磁石１３ａの磁束が１層目の基板層２１ａと２層目の基板層２１ｂに及ぶ際の磁束密度は一致していない。これは磁石１３ａに近い側でより強く、遠い側でより弱くなるからである。磁石１３ａの磁束密度がこのように変化していることを考慮しつつ、さらに１層目の基板層２１ａと２層目の基板層２１ｂとではコイルパターンの形状上の中心位置をずらしている。ずれることで、可動部１２がその方向に沿って駆動されるにあたり、コイルパターンが幅広くなった分だけ磁石１３ａによる磁束密度が急激に減少することがなくなる。例えば、１層目のコイルパターンが磁石１３ａの磁束密度の薄い部位に外れる方向に移動したとしても、それと同時に２層目のコイルパターンが磁石１３ａの磁束密度が濃い部分に入ってくることになるので、相対的に感度変化を補うことができる。むろん、その逆のこともおきる。
【００２７】
図７はフォーカスコイルの対策前後の感度変化量を示す図であり、図８はトラッキングコイルの対策前後の感度変化量を示す図である。
対策無しの場合、対策有りの場合と比べて、フォーカスシフト量が０．４ｍｍ前後の位置で感度変化量として１．０ｄＢ以上の差異が生じている。また、トラッキングシフト量についても、ほぼ同様の結果が生じている。
【００２８】
（第２の実施例）
図９は、基板層が４層の場合のコイルパターンの重なり状況を示す模式図である。
この例では、４層の基板層２１ａ，２１ｂ，２１ｃ，２１ｄが積層され、各層毎のコイルパターンも４層積層されることになる。ここで、フォーカスコイル２２ｂとトラッキングコイル２２ａをずらす方向として、図９に示すものでは、可動部１２を駆動する方向に沿っており、各層毎に交互にずらす方向を違えている。
【００２９】
すなわち、複数の基板層２１が、ｎ（ｎ＞２の整数）層以上の場合｛ｎ層目、（ｎ＋１）層目、（ｎ＋２）層目、（ｎ＋３）層目・・・｝に、ｎ番目の基板層２１と（ｎ＋２）番目の基板層２１では、コイルパターンをずらす方向を一致させており、ｎ番目の基板層２１と（ｎ＋１）番目の基板層２１では、コイルパターンをずらす方向（オフセット方向）を違えている。交互にずらすことでばらつきを減らしてより均一的な磁束を発生させることが可能となる。その結果、感度変化量もよりフラットな性能となる。
【００３０】
すなわち、多層のプリントコイルで構成されるアクチュエータの場合、ｎ層目と（ｎ＋２）層目のオフセット方向は同一とする。ずらす量（オフセット量）に関しては２層の場合同様に、層毎の磁束密度を考慮しつつ、所望の感度を得られるように設計して決定される。
【００３１】
（第３の実施例）
図１０は、基板層が４層の場合のコイルパターンの重なり状況の変形例を示す模式図である。
図９に示すものと異なり、この例では、ずらす方向を２層毎に違えるようにしている。コイルパターンは複数枚重ねることで電磁コイルとしての性能が上がるため、中心位置を一致させて同じ位置で重ね合わせることによって電磁コイルとしての性能を上げつつ、その上で中心位置を一致させないペアを積層させることで感度変化量をフラットな性能とすることを両立させることができる。
【００３２】
（第４の実施例）
図１１はコイルパターンの変形例を示す図であり、図１２はそのコイルパターンを拡大して示す図である。
まず、図１２に示すように、この例のコイルパターンは、概略矩形形状に形成されており、その３辺のコイル幅は略同一であり、１辺のコイル幅を幅広の部位としてある。この幅広の部位は、外形上の中心位置を基準として当該コイルパターンがずらされる方向に形成している。すなわち、各コイルパターンのコイル幅は全周における所定方向において幅広にしてあり、幅広の部位は外形上の中心位置を基準としてずらした方向に形成されている。
【００３３】
図１１に示すように、１層目の基板層２１ａにおいては、幅広の部位はトラッキングコイル２２ａの左側に形成され、２層目の基板層２１ｂにおいては幅広の部位はトラッキングコイル２２ａの右側に形成されている。むろん、１層目の基板層２１ａにおいては、トラッキングコイル２２ａは左側にずらして配置され、２層目の基板層２１ｂにおいては、トラッキングコイル２２ａは右側にずらして配置されている。
【００３４】
また、フォーカスコイル２２ｂについても同様であり、１層目の基板層２１ａにおいては、幅広の部位はフォーカスコイル２２ｂの下側に形成され、２層目の基板層２１ｂにおいては幅広の部位はフォーカスコイル２２ｂの上側に形成されている。むろん、１層目の基板層２１ａにおいては、フォーカスコイル２２ｂは下側にずらして配置され、２層目の基板層２１ｂにおいては、フォーカスコイル２２ｂは上側にずらして配置されている。
【００３５】
図１２に示す例では、幅広の部位のコイル幅が２Ｗとなっているのに対して、その他の部位ではコイル幅はＷとなっている。また、幅広の部位は磁石１３ａの中心位置ＭＣに対してコイルパターンの形状上の中心位置ＣＣがずらして配置されている方向の側に配置されている。
このように、外形に余裕がある場合、層毎の外形中心のオフセットに加え、プリントコイルの利点を生かし、１層目と２層目のコイル幅を可変にして、シフトに対する感度低下を押さえる設計を行なうことが可能となる。
【００３６】
（第５の実施例）
図１３と図１４は、ずらす距離の変形例を示す図である。
磁石１３ａに近い側の１層目の基板層２１ａに形成されるコイルパターンの外形上の中心位置はＣＣ１であり、磁石１３ａの中心位置ＭＣとの距離はＬＣ１である。また、磁石１３ａに遠い側の２層目の基板層２１ｂに形成されるコイルパターンの外形上の中心位置はＣＣ２であり、磁石１３ａの中心位置ＭＣとの距離はＬＣ２である。そして、ＬＣ１＜ＬＣ２の関係となっている。言い換えると、各基板層２１では、磁石に近い側よりも遠ざかるにつれて、コイルパターンの外形上の中心位置を磁石の中心位置からずらず距離が長くなっている。
【００３７】
磁石１３ａが発生している磁束は、各基板層２１ａ，２１ｂまでの距離によってその密度が異なっている。従って、その分だけ感度にも影響を及ぼしている。また、密度が薄くなるということは、磁束の広がりが大きいことも意味する。このことを考慮しつつ、感度変化量の平坦化を促す一例として、磁束がより広がっているはずの遠い側で磁石の中心位置からずらず距離が長くしている。
【００３８】
（第６の実施例）
図１３と図１４に示す例では、ＬＣ１＜ＬＣ２の関係となっているが、この関係に限られるものではない。例えば、コイルパターンの形状によっては、ＬＣ１＞ＬＣ２であったり、ＬＣ１＝ＬＣ２とすることで、感度変化量の平坦化が望めるようであれば、そのような関係とすることも可能である。
【００３９】
（第７の実施例）
図１５は、コイル幅の変形例を示す図である。
同図に示すように、１層目の基板層２１ａのコイル幅は、２層目の基板層２１ａのコイル幅よりも狭く、２層目の基板層２１ａのコイル幅の方が広い。すなわち、コイルに対応して配置される磁石１３ａに近い側のコイルパターンのコイル幅よりも磁石１３ａから遠い側のコイルパターンのコイル幅を広く形成してある。
このようなコイル幅の相違も、磁石１３ａからの遠近に応じて磁束の広がり具合が異なることに対応しており、磁束がより広がっているはずの遠い側でコイル幅を広くすることで、感度変化量の平坦化を促している。
【００４０】
（その他の変形例）
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４１】
１０…光ディスクドライブ装置、１１…光ディスク用ピックアップ、１２…可動部、１２ａ…電磁コイル、１２ｂ，１２ｂ１，１２ｂ２…対物レンズ、１２ｃ…ワイヤ、１３…固定部、１３ａ…磁石、１３ｂ…ヨークベース、１４ａ…ステッピングモーター、１４ｂ…ＤＣモーター、１５…制御部、１８…レンズホルダ、１８ａ…レンズプロテクタ、１９…中継基板、２０…プリントコイル基板、２１，２１ａ，２１ｂ，２１ｃ，２１ｄ…基板層２２…コイルパターン、２２ａ…トラッキングコイル、２２ｂ…フォーカスコイル。
【図１】
2015088206.tif 000003
【図２】
2015088206.tif 000004
【図３】
2015088206.tif 000005
【図４】
2015088206.tif 000006
【図５】
2015088206.tif 000007
【図６】
2015088206.tif 000008
【図７】
2015088206.tif 000009
【図８】
2015088206.tif 000010
【図９】
2015088206.tif 000011
【図１０】
2015088206.tif 000012
【図１１】
2015088206.tif 000013
【図１２】
2015088206.tif 000014
【図１３】
2015088206.tif 000015
【図１４】
2015088206.tif 000016
【図１５】
2015088206.tif 000017
【手続補正書】
【提出日】平成26年8月11日(2014.8.11)
【手続補正１】
【補正対象書類名】明細書
【補正対象項目名】００２２
【補正方法】変更
【補正の内容】
【００２２】
すなわち、１層目の基板層２１ａにおけるフォーカスコイル２２ｂの外形中心を対向する磁石１３ａの磁力の強い位置から、例えば上方向にオフセットさせて配置した場合、２層目の基板層２１ｂではフォーカスコイル２２ｂの外形中心を逆に下方向へオフセットして配置する。１層目および２層目のオフセット量は層毎の磁束密度分布と必要なシフト範囲で感度の変化が最も少なくなるように設計的に決定される。こうすることでフォーカスシフトした際の感度変化を抑えることが可能となる。トラッキングコイルに関してもシフト方向が左右に変わるだけで同様の考え方で配置すればよい。
【手続補正書】
【提出日】平成26年10月3日(2014.10.3)
【手続補正１】
【補正対象書類名】明細書
【補正対象項目名】００２９
【補正方法】変更
【補正の内容】
【００２９】
すなわち、複数の基板層２１が、ｎ（ｎ＞２の整数）層以上の場合｛ｎ層目、（ｎ＋１）層目、（ｎ＋２）層目、（ｎ＋３）層目・・・｝に、ｎ番目の基板層２１と（ｎ＋２）番目の基板層２１では、コイルパターンをずらす方向を一致させており、ｎ番目の基板層２１と（ｎ＋１）番目の基板層２１では、コイルパターンをずらす方向（オフセット方向）を違えている。交互にずらすことでばらつきを減らしてより均一的な磁束を発生させることが可能となる。その結果、感度変化量もよりフラットな性能となる。
なお、上記記載事項には複数の基板層２１が、３層以上の場合に、ｎ（ｎ：１以上の整数）番目の基板層２１と（ｎ＋２）番目の基板層２１では、コイルパターンをずらす方向を一致させており、ｎ番目の基板層２１と（ｎ＋１）番目の基板層２１では、コイルパターンをずらす方向（オフセット方向）を違えていることも含まれている。
【手続補正２】
【補正対象書類名】特許請求の範囲
【補正対象項目名】請求項２
【補正方法】変更
【補正の内容】
【請求項２】
前記複数の基板層が、３層以上の場合に、ｎ（ｎ：１以上の整数）番目の基板層と（ｎ＋２）番目の基板層では、前記コイルパターンをずらす方向を一致させていることを特徴とする請求項１に記載のプリントコイル基板。